(57)【要約】【課題】部品を抜いたり外したりすることなく、簡単に便座の脱着を可能とした便座ユニットを提供すること。【解決手段】便器１１の上に固定する本体１２と本体１２と脱着可能な便座１３を備え、前記本体には前記便座を取り付ける軸１４を備え、前記便座には回転可能なかつ外周壁の一部を欠いた回転体１５を備えていることにより、便座や本体から軸等の部品を外すことなく、回転体を回すことにより便座を軸より簡単に外すことができる。また便蓋を外すことなく、便座を単独で外すことができるので、片手で便座を持ち、もう一方の手で拭き掃除をすることができ、掃除の作業性が良い。【選択図】図２
2005143544.tif 000002
【特許請求の範囲】
【請求項１】
便器の上に固定する本体と本体と脱着可能な便座を備え、前記本体には前記便座を取り付ける軸を備え、前記便座には回転可能なかつ外周壁の一部を欠いた回転体を備えた便座ユニット。
【請求項２】
回転体にバネを装着できる機構を備えた請求項１に記載の便座ユニット。
【請求項３】
回転体には軸の挿入により回転する軸導入円弧部を備えた請求項２に記載の便座ユニット。
【請求項４】
便座もしくは便座に付属する部品に、回転体の回り止め凸部を設けた請求項１に記載の便座ユニット。
【請求項５】
回転体を固定する回転体固定具には金属板をインサート成形した請求項１〜４のいずれか１項に記載の便座ユニット。
【請求項６】
金属板には補強ビードを設けた請求項５に記載の便座ユニット。
【発明の詳細な説明】
【技術分野】
【０００１】
本発明は便座を本体から脱着可能な構成にした便座ユニットに関するものである。
【背景技術】
【０００２】
従来、この種の便座は便器側ブロックに対して回転自在に取り付けられるものであるが、便座と本体の隙間の掃除等を可能とするために、取外し可能とする場合、従来は、回転軸を抜き取ることによって便座を外したり、便座における回転軸との嵌合部分をばね弾性を利用して嵌め込むものとしていた。
【０００３】
また、便座を外すのに便蓋をまず外してから次に便座を外すといったように、便座を独立して外せないものもあり、外した便蓋を床に置けない場合は、一度に二つもの大きな部品を両手に持つという不便さを感じるものもあった（例えば、特許文献１参照）。
【０００４】
図１８は、特許文献１に記載された従来の便座装置を示すものである。図１８に示すように、本体１と、便座２と、右固定軸３と、左回転軸４から構成されており、便座２を右固定軸３と、左回転軸４で回転自在に保持するもので、右固定軸３は便座２の一部品として固定されており、左回転軸４は抜き差し可能に構成されている。便座２を外すときは、まず左回転軸４を抜き、便座２を左に寄せながら右回転軸３を本体１の孔から抜く動作を行う。
【特許文献１】特開２０００−１２６０８３号公報
【発明の開示】
【発明が解決しようとする課題】
【０００５】
しかしながら、従来の構成では、軸を抜き取るとういう動作や抜き取った軸の処置を十分に考慮しなければ、軸単独になり、外した軸を便器に落としたり、紛失したりすると、再度便座を本体に固定することが不可能になり、使用不能の状態になるという課題を有していた。
【０００６】
また、前記従来の構成では、便座を外すのに便蓋をまず外してから次に便座を外すといったように、便座を独立して外せないものもあり、外した便蓋を床に置けない場合は、一度に二つもの大きな部品を両手に持つという不便さを感じるという課題も有していた。
【０００７】
本発明は、前記従来の課題を解決するもので、部品を抜いたり外したりすることなく、簡単に便座の脱着を可能とした便座ユニットを提供することを目的とする。
【課題を解決するための手段】
【０００８】
前記従来の課題を解決するために、本発明の便座ユニットは、回転可能なかつ外周壁の一部を欠いた回転体を備えたものである。
【０００９】
これによって、便座や本体から軸等の部品を外すことなく、回転体を回すことにより便座を軸より簡単に外すことが可能となる。
【発明の効果】
【００１０】
本発明の便座ユニットは、便座や本体から軸等の部品を外すことなく、回転体を回すことにより便座を本体より簡単に単独に外すことができる。
【発明を実施するための最良の形態】
【００１１】
第１の発明は、回転可能なかつ外周壁の一部を欠いた回転体を備えることにより、回転体を回して外周壁の一部を欠いた部分に軸を合わせて便座を軸より簡単に外すことができる。
【００１２】
第２の発明は、特に、第１の発明の回転体にバネを装着できる機構を備えたことにより、便座を本体に取り付ける場合、便座を軸に嵌めたときに、バネの力により軸の回りを回転してロックし、軸からの抜けを防止することができる。また、同時にバネの戻り力によって回転体が元に戻って止まる時に打ち付ける音により、聴覚にもロックしたことを明確に知らせることができる。
【００１３】
第３の発明は、回転体には軸の挿入により回転する軸導入円弧部を備えることにより、回転体を手（指）で回して軸に挿入することなく、便座を軸に押さえつけることにより、回転体が外周壁の一部を欠いた部分まで回転し、軸を挿入する。その後、バネの戻り力により回転体は元の位置に戻り、軸を抱きかかえて固定して便座の取り付けを完了することが容易にできる。
【００１４】
第４の発明は、便座もしくは便座に付属する部品に、回転体の回り止め凸部を設けることにより、部品点数を少なくして、回転体の回りを防ぐことができ、コストや組み立て時の工数を削減することができる。
【００１５】
第５の発明は、回転体を固定する回転体固定具に金属板をインサート成形してあるため、小さな部品で強度を十分に確保できる。
【００１６】
第６の発明は、回転体を固定する回転体固定具にインサート成形してある金属板に補強ビードを設けてあるため、金属の厚みを増やすことなく、小さな部品で強度を十分に確保することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における便座ユニットの設置斜視図を示すものであり、図２は便座と本体の着脱斜視図、図３は本体の軸断面図、図４は便座斜視図、図５は回転体斜視図、図６は回転体正面図である。
【００１９】
図１、２、３、４、５、６において、便器１１の上に本体１２が取り付けられた状態である。本体１２には便座１３を固定する軸１４が出ている（図２）。軸１４は円柱形状から両端を面でカットした断面形状をしたものであり、少なくても便座に接触する部分は同一断面形状である（図３）。便座１３の右ヒンジ１３ａには軸１４の抜けを防止する回転可能なかつ外周壁１５ａの一部を切り欠いた切欠部１５ｂと取っ手１５ｃをもつ回転体１５を備え（図４、図５）、また回転体の外周壁に囲まれた内周直径１５ｄは軸の外周直径１４ｂよりも大きく構成されており（図６）、回転体は軸の回りを自由に回転できる。回転体固定具１６はその回転体１５が外れるのを防止し、かつ回転を阻害しないように構成され固定されている。また、回転体固定具１６は軸１４が抜けるようにＵ字形状になっており、その幅１６ａは軸の幅１４ｃより大きめに構成されている。
【００２０】
以上のように構成された便座ユニットについて、以下その動作、作用を図７、８、９を用いて説明する。図７、８、９はそれぞれ便座右ヒンジの回転体ロック時の斜視図、便座便座右ヒンジの回転体開放時の斜視図、便座左ヒンジと本体の断面図である。
【００２１】
まず、便座１３を外す場合、軸１４は回転体１５の外周壁１５ａに当たって抜けない機構になっている（図７）。そこで回転体１５の取っ手１５ｃを持って、外周壁の一部を切り欠いた切欠部１５ｂまで回すと、軸が通る経路１６ができ（図８）、そのままの状態で便座１３の右ヒンジ１３ａを持ち上げれば、便座１３を本体１２の軸１４から外すことが可能となる。また、便座１３の左ヒンジ１３ｂは凸部１７を形成し、その凸部１７に相対する本体１２の部分には孔１８が開いている。そのため、便座１２を左にずらして凸部１７を孔１８から抜いて便座を外すことができる（図９）。
【００２２】
以上のように、本実施の形態においては、回転可能なかつ外周壁の一部を欠いた回転体を便座に備えることにより、便座や本体から軸等の部品を外すことなく、回転体を回すことにより便座を軸より簡単に外すことができる。また便蓋を外すことなく、便座を単独で外すことができるので、片手で便座を持ち、もう一方の手で拭き掃除をすることができ、掃除の作業性が良い。
【００２３】
また、図１０は、本発明の第１の実施の形態の便座ユニットのバネ１９を取り付けた回転体と回転体固定具を裏面からの斜視図である。図１１は回転体の裏面に構成されたバネ固定部の斜視図である。バネ取り付け溝２０は略「く」の字を形成しており、バネ１９を接着剤等の介助なく、嵌め込むだけで、バネの脱落なく取り付け可能となる。このように回転体にバネを装着できる溝を備えたことにより、便座を本体に取り付ける場合、便座を軸に嵌めたときに、バネの力により軸の回りを回転してロックし、軸からの抜けを防止することができる。また、同時にバネの戻り力によって回転体が元に戻って止まる時に打ち付ける音により、聴覚にもロックしたことを明確に知らせることができる。
【００２４】
また、回転体１５には軸１４の挿入により回転体自身が回転する軸導入円弧部１５ｅを備えている。便座の回転体固定具のＵ字に沿って軸を挿入すると、軸導入円弧部１５ｅを軸が押すことで回転体が半時計回りに回転し、外周壁の一部を欠いた部分まで開き、軸を回転体の中まで迎え入れる。その後、バネの戻り力により回転体は元の位置に戻り、軸を抱きかかえて固定する。このように回転体を手（指）で回して回転体を開放状態にして、軸を挿入することなく、便座の取り付けを容易にすることができる。
【００２５】
（実施の形態２）
また、図１２、１３は、本発明の第２の実施の形態における便座ユニットの後ろ正面図である。図１２は便座右ヒンジ１３ａに回転体の回り止め凸部２１を設けた図である。凸部の高さは、樹脂で成形された回転体１５の弾性による変形度合いと便座右ヒンジと回転体固定具との隙間によって適切な値が決められる。この構成によりバネやその他の部品を取り付けることなく、回転体１５が回ることを簡単にしかも安価に防止することができる。また、図１３は凸部を回転体固定具側に取り付けたもので、回転体は一部断面図になっており、同様な効果が得られる。
【００２６】
また、図１４、１５は、本発明の第１の実施の形態における便座ユニットの回転体固定具の縦断面図と正面図である。回転体を固定する回転体固定具１６には金属板２２をインサート成形しており、小さな部品で強度を十分に確保できる。
【００２７】
また、図１６、１７は、本発明の第１の実施の形態における便座ユニットの回転体固定具にインサートされた金属板の正面図と横断面図である。インサート成形してある金属板２２に補強ビード２３を設けてあるため、金属の厚みを増やすことなく、小さな部品で強度を十分に確保することができる。
【産業上の利用可能性】
【００２８】
以上のように、本発明にかかる便座ユニットは、便座や本体から軸等の部品を外すことなく、回転体を回すことにより便座を本体より簡単に単独に外すことができるので、脱着が必要な構成部品等の用途にも適用できる。
【図面の簡単な説明】
【００２９】
【図１】本発明の実施の形態１における便座ユニットの設置斜視図
【図２】本発明の実施の形態１における便座と本体の着脱斜視図
【図３】本発明の実施の形態１における本体の軸断面図
【図４】本発明の実施の形態１における便座斜視図
【図５】本発明の実施の形態１における回転体斜視図
【図６】本発明の実施の形態１における回転体正面図
【図７】本発明の実施の形態１における便座右ヒンジの回転体ロック時の斜視図
【図８】本発明の実施の形態１における便座便座右ヒンジの回転体開放時の斜視図
【図９】本発明の実施の形態１における便座左ヒンジと本体の断面図
【図１０】本発明の実施の形態１におけるバネを取り付けた回転体と回転体固定具の裏面からの斜視図
【図１１】本発明の実施の形態１における回転体の裏面に構成されたバネ固定部の斜視図
【図１２】本発明の実施の形態２における便座ユニットの後ろ正面図
【図１３】本発明の実施の形態２における便座ユニットの後ろ正面図
【図１４】本発明の実施の形態１における便座ユニットの回転体固定具の縦断面図
【図１５】本発明の実施の形態１における便座ユニットの回転体固定具の正面図
【図１６】本発明の実施の形態１における便座ユニットの回転体固定具にインサートされた金属板の正面図
【図１７】本発明の実施の形態１における便座ユニットの回転体固定具にインサートされた金属板の横断面図
【図１８】従来の便座ユニットの平面図
【符号の説明】
【００３０】
１１  便器
１２  本体
１３  便座
１４  軸
１５ａ  外周壁
１５  回転体
１９  バネ
１５ｅ  軸導入円弧部
２１  回り止め凸部
２２  金属板
２３  補強ビード
【図１】
2005143544.tif 000003
【図２】
2005143544.tif 000004
【図３】
2005143544.tif 000005
【図４】
2005143544.tif 000006
【図５】
2005143544.tif 000007
【図６】
2005143544.tif 000008
【図７】
2005143544.tif 000009
【図８】
2005143544.tif 000010
【図９】
2005143544.tif 000011
【図１０】
2005143544.tif 000012
【図１１】
2005143544.tif 000013
【図１２】
2005143544.tif 000014
【図１３】
2005143544.tif 000015
【図１４】
2005143544.tif 000016
【図１５】
2005143544.tif 000017
【図１６】
2005143544.tif 000018
【図１７】
2005143544.tif 000019
【図１８】
2005143544.tif 000020